(57)【要約】【課題】太陽電池パネルを設置面に固定する作業がより容易であり、高さの微調整が可能な固定具を備える固定ユニットを提供する。【解決手段】太陽電池の端辺を保持するための第一フレーム及び固定具１を備える固定ユニットであり、固定具は設置面に固定されるベース部材１０、ベース部材から立設させるスタンド２０、及び、第一フレームのスリットに側方延出部４６を挿入して第一フレームを保持するホルダ４０を有しており、軸方向への移動を制限した状態でスタンドに保持されたシャフト３０の雄ネジ３１とホルダの雌ネジ４２ｆが螺合していることにより、第一フレームを保持している状態のホルダをスタンドに対して昇降させることができる。【選択図】図４
2019108711.tif 000002
【特許請求の範囲】
【請求項１】
太陽電池パネルの端辺のうちの一対が、一対の第一フレームで保持されており、該第一フレームが固定具を介して設置面に固定されている太陽電池パネルの固定構造であって、
前記第一フレームは、
前記太陽電池パネルの上面に当接している上当接部と、
該上当接部の一端から下方に延出している側面部と、
該側面部の中途高さから前記上当接部に平行に延出しており、前記太陽電池パネルを載置して前記上当接部との間に保持している載置面と、
該載置面より下方の前記側面部の中途高さで開口し、前記第一フレームの長手方向に延びているスリットと、
前記側面部の下端から前記上当接部と平行に延出している下当接部と、を具備しており、
前記固定具は、前記設置面に固定されているベース部材、該ベース部材から立設しているスタンド、該スタンドに対して昇降可能なホルダ、及び、外周面に雄ネジが形成されているシャフト、を具備しており、
前記スタンドは、一対の側壁部を有し、該側壁部の間に軸方向への移動を制限した状態で前記シャフトを保持しており、
前記シャフトは、前記雄ネジの径方向で前記スタンドから露出していると共に、端部に工具係合部を有しており、
前記ホルダは、
平面状で、工具用孔部が貫設されている枠支持部と、
該枠支持部において前記工具用孔部から外れた位置で上方に延出している上立壁部と、
該上立壁部の上端から直交する両方向にそれぞれ延出している第一延出部及び第二延出部からなる側方延出部と、
前記枠支持部からそれぞれ下方に延出しており、その間に前記工具用孔部を位置させている一対の下立壁部と、
一対の該下立壁部において、互いに対面する位置に形成された雌ネジと、
一対の前記下立壁部を連結している連結部と、
該連結部に貫設された挿通孔と、を具備しており、
前記挿通孔に挿通された前記スタンドから露出している前記雄ネジが、前記雌ネジと螺合していると共に、
前記工具用孔部は、前記シャフトの中心軸の延長線上に位置していると共に、前記スタンドには前記シャフトと前記工具用孔部との間の前記延長線上で、孔部または空間が形成されており、
隣接している前記太陽電池パネルをそれぞれ保持している二つの前記第一フレームの一方の前記スリットに、前記固定具の前記第一延出部が挿入されていると共に、他方の前記第一フレームの前記スリットに、同じ前記固定具の前記第二延出部が挿入された状態で、それぞれの前記第一フレームの前記下当接部は前記枠支持部に載置されている
ことを特徴とする太陽電池パネルの固定構造。
【請求項２】
太陽電池パネルを設置面に固定するための固定ユニットであって、太陽電池パネルの端辺を保持するための第一フレーム、及び、該第一フレームを保持するための固定具を備え、
前記第一フレームは、
平板状の上当接部と、
該上当接部の一端から下方に延出している側面部と、
該側面部の中途高さから前記上当接部に平行に延出している載置面と、
該載置面より下方の前記側面部の中途高さで開口し、前記第一フレームの長手方向に延びているスリットと、
前記側面部の下端から前記上当接部と平行に延出している下当接部と、を具備しており、
前記固定具は、平板部を有するベース部材、該ベース部材から立設させるスタンド、該スタンドに対して昇降するホルダ、及び、外周面に雄ネジが形成されているシャフトを備えており、
前記スタンドは、一対の側壁部を有し、該側壁部の間に軸方向への移動を制限した状態で前記シャフトを保持しており、
前記シャフトは、前記雄ネジの径方向で前記スタンドから露出していると共に、端部に工具係合部を有しており、
前記ホルダは、
平面状で、工具用孔部が貫設された枠支持部と、
該枠支持部において前記工具用孔部から外れた位置で上方に延出している上立壁部と、
該上立壁部の上端から直交する両方向にそれぞれ延出している第一延出部及び第二延出部からなる側方延出部と、
前記枠支持部からそれぞれ下方に延出しており、その間に前記工具用孔部を位置させている一対の下立壁部と、
一対の該下立壁部において、互いに対面する位置に形成された雌ネジと、
一対の前記下立壁部を連結している連結部と、
該連結部に貫設された挿通孔と、を具備しており、
前記雌ネジは、前記挿通孔に挿通された状態の前記スタンドから露出している前記雄ネジと螺合するものであると共に、
前記工具用孔部は、前記挿通孔に前記スタンドが挿通された状態で、前記シャフトの中心軸の延長線上に位置すると共に、前記スタンドには前記シャフトと前記工具用孔部との間の前記延長線上で、孔部または空間が形成されており、
前記枠支持部は、前記スリットに前記第一延出部を挿入させた状態の前記第一フレームの前記下当接部を載置するものであると共に、前記スリットに前記第二延出部を挿入させた状態の別の前記第一フレームの前記下当接部を載置するものである
ことを特徴とする固定ユニット。
【発明の詳細な説明】
【技術分野】
【０００１】
本発明は、屋根面のような設置面に太陽電池パネルが固定具によって固定されている太陽電池パネルの固定構造、及び、該固定構造に使用される固定ユニットに関するものである。
【背景技術】
【０００２】
太陽電池パネルが、その周縁を保持するフレームを介して、屋根面のような設置面に固定具によって固定されている固定構造として、出願人は過去に、フレームに対してスライド可能に取り付けられる固定具を使用した構造を提案している（例えば、特許文献１参照）。この固定構造では、四角形の太陽電池パネルの二対の辺をそれぞれ保持する二対のフレームのうち、少なくとも一対のフレームが長手方向に延びるスリットを側面部に有しており、このスリットに挿入される部分を固定具が有している。
【０００３】
フレームのスリットに沿って固定具をスライドさせて、固定具の取り付け位置を定めることができるため、太陽電池パネルに対する固定具の取り付けピッチに合わせて、予め固定具を設置面上で位置決めして固定しておく作業を必要としない。また、固定具を設置面に固定するためのビスや釘のような締結部材は、設置面における強固な部分に打ち込まれることが望ましい。例えば、設置面が屋根面の場合、垂木に支持されている部分である。フレームのスリットに沿って固定具をスライドさせることにより、締結部材が設置面における強固な部分に位置するように容易に調整することができるため、固定構造を高強度なものとすることができる。
【０００４】
また、上記のような固定具として、第一固定部材と第二固定部材とに分離される固定具についても提案している（特許文献２参照）。太陽電池パネルを保持するフレームを第一固定部材が支持すると共に、第二固定部材が設置面に固定され、第一固定部材と第二固定部材とがボルトによって連結される。固定具が一体構造である場合は、太陽電池パネルを交換する場合など、太陽電池パネルを取り外してから再度固定する度ごとに、ビスや釘によって設置面に孔が穿たれることとなり、固定構造の機械的強度が低下するおそれがある。これに対し、第一固定部材が第二固定部材から分離できる固定具によれば、第二固定部材は設置面に固定したまま、第二固定部材に対する第一固定部材の連結または解除によって、太陽電池パネルの設置面に対する固定または取り外しをすることができる。従って、太陽電池パネルの設置面からの取り外しや再度の取り付けを、固定構造の機械的強度が低下するおそれなく繰り返すことができる。
【０００５】
加えて、特許文献２の固定具は、第一固定部材と第二固定部材との間に配される複数のスペーサを有している。複数のスペーサは、互いの係合及び第二固定部材との係合により、位置ずれすることなく第一固定部材と第二固定部材との間に挟むことができる。設置面が屋根面の場合、被覆している屋根材の形状に起因して、屋根面における固定位置によって複数の太陽電池パネルの高さが不揃いとなることがある。また、設置面上の他の構造体との関係で、太陽電池パネルの高さを変更したい場合もある。そのような場合、第一固定部材と第二固定部材との間に挟むスペーサの枚数、またはスペーサの有無によって、太陽電池パネルの高さを調整することができる。
【０００６】
しかしながら、スペーサによる高さ調整は、スペーサの厚さを単位とする不連続なものとなるため、高さの微調整がしにくいものであった。また、スペーサの枚数を増減させる際は、第一固定部材を上方に持ち上げて第二固定部材との間のスペースを広げた状態を維持する必要がある。そのため、第一固定部材に太陽電池パネルを保持させた状態で高さ調整を行うことが難しい、或いは、複数の作業者を必要とするという事情があった。
【先行技術文献】
【特許文献】
【０００７】
【特許文献１】特許第４３６５４５０号公報
【特許文献２】特許第４９７５８９３号公報
【発明の概要】
【発明が解決しようとする課題】
【０００８】
そこで、本発明は、上記の実情に鑑み、太陽電池パネルを固定具によって設置面に固定する作業がより容易であり、高さの微調整が可能な太陽電池パネルの固定構造、及び、該固定構造に使用される固定ユニットの提供を、課題とするものである。
【課題を解決するための手段】
【０００９】
上記の課題を解決するため、本発明にかかる太陽電池パネルの固定構造（以下、単に「固定構造」と称することがある）は、
「太陽電池パネルの端辺のうちの一対が、一対の第一フレームで保持されており、該第一フレームが固定具を介して設置面に固定されている太陽電池パネルの固定構造であって、
前記第一フレームは、
前記太陽電池パネルの上面に当接している上当接部と、
該上当接部の一端から下方に延出している側面部と、
該側面部の中途高さから前記上当接部に平行に延出しており、前記太陽電池パネルを載置して前記上当接部との間に保持している載置面と、
該載置面より下方の前記側面部の中途高さで開口し、前記第一フレームの長手方向に延びているスリットと、
前記側面部の下端から前記上当接部と平行に延出している下当接部と、を具備しており、
前記固定具は、前記設置面に固定されているベース部材、該ベース部材から立設しているスタンド、該スタンドに対して昇降可能なホルダ、及び、外周面に雄ネジが形成されているシャフト、を具備しており、
前記スタンドは、一対の側壁部を有し、該側壁部の間に軸方向への移動を制限した状態で前記シャフトを保持しており、
前記シャフトは、前記雄ネジの径方向で前記スタンドから露出していると共に、端部に工具係合部を有しており、
前記ホルダは、
平面状で、工具用孔部が貫設されている枠支持部と、
該枠支持部において前記工具用孔部から外れた位置で上方に延出している上立壁部と、
該上立壁部の上端から直交する両方向にそれぞれ延出している第一延出部及び第二延出部からなる側方延出部と、
前記枠支持部からそれぞれ下方に延出しており、その間に前記工具用孔部を位置させている一対の下立壁部と、
一対の該下立壁部において、互いに対面する位置に形成された雌ネジと、
一対の前記下立壁部を連結している連結部と、
該連結部に貫設された挿通孔と、を具備しており、
前記挿通孔に挿通された前記スタンドから露出している前記雄ネジが、前記雌ネジと螺合していると共に、
前記工具用孔部は、前記シャフトの中心軸の延長線上に位置していると共に、前記スタンドには前記シャフトと前記工具用孔部との間の前記延長線上で、孔部または空間が形成されており、
隣接している前記太陽電池パネルをそれぞれ保持している二つの前記第一フレームの一方の前記スリットに、前記固定具の前記第一延出部が挿入されていると共に、他方の前記第一フレームの前記スリットに、同じ前記固定具の前記第二延出部が挿入された状態で、それぞれの前記第一フレームの前記下当接部は前記枠支持部に載置されている」ものである。
【００１０】
「設置面」は、傾斜している屋根面や水平な屋根面とすることができる。この場合、屋根は、スレート屋根、金属屋根、瓦屋根とすることができる。また、「設置面」は屋根面に限定されず、太陽電池パネルを設置するための専用の傾斜面や水平面であっても良い。
【００１１】
本構成の固定構造では、隣接する太陽電池パネルをそれぞれ保持している二つの第一フレームが、その間に配置された固定具によって設置面に固定されている。すなわち、隣接する太陽電池パネルの一方の第一フレームのスリットに固定具の第一延出部が挿入され、他方の太陽電池パネルの第一フレームのスリットに、同じ固定具の第二延出部が挿入され、且つ、双方の第一フレームの下当接部が固定具の枠支持部に載置された状態で、その固定具が設置面に固定されることにより、隣接する太陽電池パネルが設置面に固定される。
【００１２】
そして、固定具は、設置面に固定されるベース部材と、ベース部材から立設させるスタンドと、第一フレームを保持させるホルダとを備えている。この固定具において、ホルダがスタンドに対して昇降するため、ホルダが保持している第一フレームを介して、太陽電池パネルの高さ調整を行うことができる。
【００１３】
具体的には、スタンドがホルダの挿通孔に挿通された状態で、ホルダに設けられた工具用孔部はシャフトの中心軸の延長線上にあると共に、シャフトを保持しているスタンドにもシャフトの中心軸の延長線上に孔部または空間が設けられている。そのため、工具用孔部に挿入した工具を、シャフトの工具係合部まで到達させ、工具係合部と係合させてシャフトを回転させることができる。シャフトの雄ネジは径方向でスタンドから露出している部分で、ホルダに設けられた雌ネジと螺合している。そして、シャフトは、スタンドによって軸方向の移動が制限されている。そのため、シャフトを回転させた時、シャフト自体は昇降することなく、ホルダを昇降させる。ホルダにおいて、第一フレームを保持するための側方延出部（第一延出部及び第二延出部）が両方向に延出している上立壁部は、工具用孔部から外れた位置にある。従って、上立壁部に対する片側で、ホルダに第一フレームを保持させた状態で、ホルダをスタンドに対して昇降させて太陽電池パネルの高さ調整を行うことができる。
【００１４】
固定構造の構築に際しては、固定具の側方延出部を、第一フレームにおいてスリットの延びる方向に直交する方向からスリットに挿入すれば、設置面において一方向に、太陽電池パネルを順次固定していくことができる。例えば、傾斜している屋根面を設置面とする場合、軒から棟に向かう一方向に、太陽電池パネルを固定していくことができる。そのため、ホルダにおいて上立壁部に対する片側で、第一フレームを保持させた状態で高さ調整を行うことができる固定具を使用することにより、設置面に固定される全ての太陽電池パネルについて、ホルダに保持された状態のまま高さ調整を行うことができる。
【００１５】
そして、スタンドに対するホルダの昇降は、スタンド側の雄ネジとホルダ側の雌ネジの螺合によるものであるため、連続的に高さ調整を行うことができる。従って、太陽電池パネルの高さを、微調整することができる。
【００１６】
ここで、雄ネジを有するシャフトは、スタンドの一対の側壁部間に、軸方向の移動を制限された状態で保持されている。その態様としては、一対の側壁部それぞれの上端が天面部で連結されていると共に、それぞれの下端が底面部で連結されており、天面部と底面部との間にシャフトが嵌め込まれている態様を例示することができる。或いは、一対の側壁部それぞれの上端から相手側に向かって上棚部が突出していると共に、それぞれの下端が底面部で連結されており、上棚部と底面部との間にシャフトが嵌め込まれている態様を例示することができる。このような態様では、シャフトの長さがスタンドの長さとほぼ等しい。従って、シャフトの存在によって、スタンドの軸方向の機械的強度を高めることができるという利点を有する。
【００１７】
次に、本発明にかかる太陽電池パネルの固定ユニットは、
「太陽電池パネルを設置面に固定するための固定ユニットであって、太陽電池パネルの端辺を保持するための第一フレーム、及び、該第一フレームを保持するための固定具を備え、
前記第一フレームは、
平板状の上当接部と、
該上当接部の一端から下方に延出している側面部と、
該側面部の中途高さから前記上当接部に平行に延出している載置面と、
該載置面より下方の前記側面部の中途高さで開口し、前記第一フレームの長手方向に延びているスリットと、
前記側面部の下端から前記上当接部と平行に延出している下当接部と、を具備しており、
前記固定具は、平板部を有するベース部材、該ベース部材から立設させるスタンド、該スタンドに対して昇降するホルダ、及び、外周面に雄ネジが形成されているシャフトを備えており、
前記スタンドは、一対の側壁部を有し、該側壁部の間に軸方向への移動を制限した状態で前記シャフトを保持しており、
前記シャフトは、前記雄ネジの径方向で前記スタンドから露出していると共に、端部に工具係合部を有しており、
前記ホルダは、
平面状で、工具用孔部が貫設された枠支持部と、
該枠支持部において前記工具用孔部から外れた位置で上方に延出している上立壁部と、
該上立壁部の上端から直交する両方向にそれぞれ延出している第一延出部及び第二延出部からなる側方延出部と、
前記枠支持部からそれぞれ下方に延出しており、その間に前記工具用孔部を位置させている一対の下立壁部と、
一対の該下立壁部において、互いに対面する位置に形成された雌ネジと、
一対の前記下立壁部を連結している連結部と、
該連結部に貫設された挿通孔と、を具備しており、
前記雌ネジは、前記挿通孔に挿通された状態の前記スタンドから露出している前記雄ネジと螺合するものであると共に、
前記工具用孔部は、前記挿通孔に前記スタンドが挿通された状態で、前記シャフトの中心軸の延長線上に位置すると共に、前記スタンドには前記シャフトと前記工具用孔部との間の前記延長線上で、孔部または空間が形成されており、
前記枠支持部は、前記スリットに前記第一延出部を挿入させた状態の前記第一フレームの前記下当接部を載置するものであると共に、前記スリットに前記第二延出部を挿入させた状態の別の前記第一フレームの前記下当接部を載置するものである。」
【００１８】
本構成の固定ユニットは、上記の固定構造に使用されるものである。固定具のベース部材を屋根に固定し、固定具のホルダで第一フレームを介して太陽電池パネルを保持することにより、太陽電池パネルを設置面に固定することができる。また、固定具において、スタンドに対してホルダを昇降させることにより、太陽電池パネルの高さ調整を行うことができる。
【発明の効果】
【００１９】
以上のように、本発明によれば、太陽電池パネルを固定具によって設置面に固定する作業がより容易であり、高さの微調整が可能な太陽電池パネルの固定構造、及び、該固定構造に使用される固定ユニットを、提供することができる。
【図面の簡単な説明】
【００２０】
【図１】本発明の一実施形態である固定構造に使用される固定具の斜視図である。
【図２】図１の固定具の分解斜視図である。
【図３】図３（ａ）は図１の固定具の構成要素であるホルダの正面図であり、図３（ｂ）はＸ−Ｘ線で切断したホルダの斜視図である。
【図４】図４（ａ）は図１の固定具の縦断面図であり、図４（ｂ）は図１の固定具の構成要素であるスタンド及びベース部材を、図４（ａ）の切断方向と直交する方向で切断した断面図である。
【図５】図５（ａ）及び図５（ｂ）は、図１の固定具による太陽電池パネルの高さ調整を説明する図である。
【図６】図６（ａ）は、図１の固定具と共に固定ユニットを構成する第一フレームを、太陽電池パネルと共に示す断面図であり、図６（ｂ）は、化粧カバーの断面図である。
【図７】図７（ａ）及び図７（ｂ）は、図１の固定具を使用して太陽電池パネルを設置面へ固定する手順の説明図である。
【図８】図８（ａ）及び図８（ｂ）は、図７（ｂ）に引き続き、図１の固定具を使用して太陽電池パネルを設置面へ固定する手順の説明図である。
【図９】図９（ａ）〜図９（ｃ）は、図８（ｂ）に引き続き、図１の固定具を使用して太陽電池パネルを設置面へ固定する手順の説明図である。
【図１０】図１０（ａ）は図１の固定具の構成要素であるスタンドの変形例の斜視図であり、図１０（ｂ）は図１０（ａ）のスタンドを図１のベース部材から立設させた状態の正面図である。
【図１１】図１１（ａ）は図１の固定具の構成要素であるスタンド及びベース部材の変形例の斜視図であり、図１１（ｂ）は図１１（ａ）のスタンド及びベース部材の側面図である。
【図１２】図１の固定具の構成要素であるホルダの変形例の正面図である。
【発明を実施するための形態】
【００２１】
以下、本発明の具体的な実施形態である太陽電池パネルの固定構造と、この固定構造に使用される固定ユニットについて、図面を用いて説明する。本実施形態の固定構造は、太陽電池パネル６０が固定ユニットによって設置面５に固定されているものであり、固定ユニットは、第一フレーム６１ａ，６１ｂ及び固定具１を備えている。
【００２２】
まず、フレームの構成について説明する。フレームは太陽電池パネル６０の周縁を保持させるものであり、平面視で四角形の太陽電池パネル６０の一対の端辺を保持する一対の第一フレーム６１ａ，６１ｂと、他の一対の端辺を保持する一対の第二フレーム（図示を省略）とからなる。一対の第一フレーム６１ａ，６１ｂは、長手方向に直交する断面の形状が、太陽電池パネル６０に対して対称である。なお、第一フレーム６１ａ，６１ｂは、アルミニウム等の金属で形成された押出型材であり、それぞれ長手方向に直交する断面形状は単一である。
【００２３】
第一フレーム６１ａ，６１ｂは、図６（ａ）に示すように、太陽電池パネル６０の上面に当接させる平板状の上当接部７１と、上当接部７１の一端から直角をなして下方に延出している側面部７３と、側面部７３の中途高さから上当接部７１に平行に延出しており、太陽電池パネル６０を載置して上当接部７１との間に保持する載置面７２と、載置面７２より下方の側面部７３において中途の高さで開口し、第一フレーム６１ａ，６１ｂの長手方向に延びているスリット７４と、側面部７３の下端から上当接部７１と平行に延出している下当接部７６と、下当接部７６と載置面７２とを側面部７３より内方で連結している連結壁７７と、を具備している。更に、第一フレーム６１ａ，６１ｂは、スリット７４より低い高さで連結壁７７から外方に向かって突出している第一係合片７８を備えており、第一係合片７８の先端は上方に屈曲した鉤状である。そして、側面部７３には、第一係合片７８とほぼ同じ高さに、第一係合片７８への外方からのアクセスを許容する空隙７５が形成されている。
【００２４】
ここで、「内方」及び「外方」は、太陽電池パネル６０の周縁を一対の第一フレーム６１ａ，６１ｂ及び一対の第二フレーム保持した状態で、これらのフレームで囲まれている空間に対する「内方」及び「外方」である。
【００２５】
ここでは、側面部７３において、スリット７４より上の部分を側面上部７３ａと称し、スリット７４と空隙７５との間の部分を側面中間部７３ｂと称し、空隙７５より下の部分を側面下部７３ｃと称する。本実施形態では、側面中間部７３ｂは側面上部７３ａと平行ではあるが同一面上にはなく、側面中間部７３ｂの方が側面上部７３ａより内方に位置している。一方、側面下部７３ｃは、側面中間部７３ｂと同一面上にある。また、連結壁７７は、側面部７３と平行な部分を主体としており、上部は上方に向かうほど外方に傾斜して載置面７２に至っていると共に、下部は下方に向かうほど外方に傾斜して下当接部７６に至っている。
【００２６】
また、一対の第二フレームも、長手方向に直交する断面の形状が、太陽電池パネル６０に対して対称である。一対の第二フレームは、一対の第一フレーム６１ａ，６１ｂと同一の構成とすることができる。これにより、フレームの種類が少なくなると共に、固定具１によって一対の第二フレームを設置面５に固定することも可能となる。第一フレーム６１ａ，６１ｂに加えて第二フレームをも介して太陽電池パネル６０を固定具１によって設置面５に固定する場合、第二フレームも固定ユニットの構成要素となる。
【００２７】
或いは、第二フレームは、固定具を取り付けないことを前提とした構成とすることもできる。この場合、第二フレームは固定ユニットの構成要素とはならない。この場合の第二フレームは、第一フレーム６１ａ，６１ｂと同様の上当接部、載置面、側面部、下当接部、及び連結部を有するが、第一フレーム６１ａ，６１ｂとは異なり、側面部にスリットは開口していないと共に、連結部から第一係合片は突出しておらず、当然ながら第一フレーム６１ａ，６１ｂの空隙７５に相当する構成を有していない構成となる。なお、第二フレームは、アルミニウム等の金属で形成された押出型材であり、それぞれ長手方向に直交する断面形状は単一である。
【００２８】
固定具１は、主に図１〜図４（ｂ）に示すように、設置面５に固定されるベース部材１０と、ベース部材１０から立設させるスタンド２０と、スタンド２０に保持されているシャフト３０と、シャフト３０を介してスタンド２０に支持されるホルダ４０とを備えている。
【００２９】
ベース部材１０は、平板状の平板部１１と、平板部１１から立設された一対のベース壁１２と、一対のベース壁１２それぞれの上端辺から内側に向かって延出している一対のリップ片１３と、を備えている。ベース壁１２は平板部１１に対して直角をなしており、リップ片１３はベース壁１２に対して直角をなしている。従って、一対のリップ片１３は、平板部１１と平行である。そして、一対のリップ片１３は離隔しており、それらの間の空隙はベース・スリットＳを構成している。平板部１１には、一対のベース壁１２それぞれの外側で、複数の孔部１１ｈが貫設されている。
【００３０】
一対のベース壁１２間では、ベース・スリットＳの直下において平板部１１から上方に向かって、長い角棒状の突条１５がベース壁１２と平行に突出している。突条１５の上面は殆どの部分が平板部１１に平行な平行面１５ｓであるが、一部が平板部１１に対して傾斜した傾斜面１６ｓとなっている。傾斜面１６ｓの位置は、突条１５の長手方向における略中央である。そして、突条１５には、平行面１５ｓに直交する孔部１５ｈと、傾斜面１６ｓに直交する孔部１６ｈが貫設されている。
【００３１】
スタンド２０は、一対の側壁部２１と、一対の側壁部２１それぞれの上端を連結している天面部２２と、一対の側壁部２１それぞれの下端を連結している底面部２３と、を備えている。底面部２３からは、一対の側壁部２１それぞれを超えて外方まで、同一高さで案内片２４が延出している。また、一対の側壁部２１それぞれから、案内片２４より上方で、且つ、案内片２４と平行に、一対のフランジ２５が突出している。本実施形態では、フランジ２５は案内片２４より長く突出しており、その端部から屈曲片２５ｂが底面部２３の方向に直角に延出している。同じ側にある案内片２４とフランジ２５との間の距離は、ベース部材１０のリップ片１３の厚さより僅かに大きく、屈曲片２５ｂと側壁部２１との間の距離は、リップ片１３の幅より僅かに大きい。
【００３２】
屈曲片２５ｂの一方には、ネジ孔２５ｆが貫設されており、ネジ孔２５ｆをボルト９０が貫通している。ボルト９０はその頭部９１に、工具と係合する工具係合部９６を有している。ここでの工具係合部９６は、工具としての六角レンチと係合する六角凹部である。屈曲片２５ｂの他方には、小孔２５ｈが貫設されている。
【００３３】
スタンド２０においては、一対の側壁部２１、天面部２２、及び底面部２３によって縦長の枠体が形成されており、その内部にシャフト３０が保持されている。シャフト３０の長さは、天面部２２と底面部２３との間の距離にほぼ等しく、縦長の枠体にちょうど嵌め込まれた状態である。シャフト３０の外周面には、全長にわたり雄ネジ３１が形成されている。このシャフト３０としては、市販の「頭部無しボルト」を使用可能である。雄ネジ３１の径方向の長さは、側壁部２１の幅長さより大きい。従って、スタンド２０に保持されたシャフト３０の雄ネジ３１は、径方向でスタンド２０より外方に露出している。
【００３４】
シャフト３０は、上端すなわち天面部２２側の端部に、工具と係合する工具係合部３６を有している。ここでの工具係合部３６は、工具としての六角レンチと係合する六角凹部である。そして、スタンド２０の天面部２２には、シャフト３０の中心軸の延長線上に位置して、工具用孔部２２ｈが貫設されている。
【００３５】
ホルダ４０は、平面視が長方形で平板状の枠支持部４１と、枠支持部４１から上方に延出している上立壁部４５と、上立壁部４５の上端から直交する両方向にそれぞれ延出している第一延出部４６ａ及び第二延出部４６ｂからなる側方延出部４６と、上立壁部４５から第二延出部４６ｂと同方向に離隔した位置で、枠支持部４１から突出している突起４１ｐと、を備えている。上立壁部４５は、枠支持部４１の一対の長辺と平行であり、一対の長辺の一方から上立壁部４５までの距離は、一対の長辺の他方から上立壁部４５までの距離より長い。換言すれば、上立壁部４５は、枠支持部４１に対して長手方向に直交する方向に偏って位置している。
【００３６】
第一延出部４６ａ及び第二延出部４６ｂは、枠支持部４１からの高さが同一であり、上立壁部４５と共に断面Ｔ字形をなしている。第一延出部４６ａと第二延出部４６ｂでは、枠支持部４１の一対の長辺のうち上立壁部４５からの距離が小さい長辺に向かって延出している方を、第一延出部４６ａと称している。
【００３７】
突起４１ｐは、上立壁部４５と平行な突条であり、枠支持部４１からの高さは１ｍｍ〜５ｍｍである。
【００３８】
固定具１は、更に、第一延出部４６ａより下方で、上立壁部４５から第一延出部４６ａと同方向に突出している第二係合片４７を備えており、第二係合片４７の先端は下方に屈曲した鉤状である。加えて、固定具１は、上立壁部４５から数ｍｍ離隔した位置で第二延出部４６ｂから下方に短く突出している上突出壁４６ｓと、上突出壁４６ｓの直下で枠支持部４１から上方に短く突出している下突出壁４１ｓと、を備えている。上突出壁４６ｓ及び下突出壁４１ｓは、立壁部４と平行な面である。また、上立壁部４５から上突出壁４６ｓまでの距離は、第一フレーム６１ａ，６１ｂにおける側壁上部２３ａの延長面と側壁中間部２３ｂとの距離の２倍より、２ｍｍ〜５ｍｍ大きく設定されている。
【００３９】
更に、ホルダ４０は、枠支持部４１から下方に向かって、それぞれ枠支持部４１に対して直角に延出しており、且つ、枠支持部４１の長手方向に延出している一対の下立壁部４２と、それぞれの下立壁部４２の下端を連結している連結部４３と、連結部４３より上方で一対の下立壁部４２を連結している第二連結部４４と、を備えている。一対の下立壁部４２は、枠支持部４１に対して長手方向に直交する方向の略中央に位置している。なお、ここでは、一対の下立壁部４２の一方が枠支持部４１から直角に延出した後、斜めに屈曲してから再び枠支持部４１に対して直角に延出している場合を図示しているが、このような屈曲は必須ではない。
【００４０】
ホルダ４０の連結部４３及び第二連結部４４には、スタンド２０の一対の側壁部２１を挿入させる挿通孔４３ｈ及び第二挿通孔４４ｈがそれぞれ貫設されている。挿通孔４３ｈ及び第二挿通孔４４ｈはそれぞれ連結部４３及び第二連結部４４の中央にあり、それぞれの孔の中心を同一線上に位置させている。スタンド２０は、シャフト３０の雄ネジ３１が露出している部分を一対の下立壁部４２に向けた状態で、挿通孔４３ｈ及び第二挿通孔４４ｈに挿入されるものである。そして、一対の下立壁部４２にはそれぞれ雌ネジ４２ｆが形成されている。この雌ネジ４２ｆは、挿通孔４３ｈ及び第二挿通孔４４ｈにスタンド２０が挿通された状態で、スタンド２０から露出している雄ネジ３１と螺合するように形成されている。
【００４１】
更に、ホルダ４０の枠支持部４１には、円形の工具用孔部４１ｈが貫設されている。この工具用孔部４１ｈは一対の下立壁部４２の間に位置している。また、工具用孔部４１ｈは、雄ネジ３１を雌ネジ４２ｆに螺合させている状態のシャフト３０の中心軸の延長線上に位置する。従って、ホルダ４０の工具用孔部４１ｈ及びスタンド２０の工具用孔部２２ｈに通した工具を、シャフト３０の工具係合部３６に係合させることができる。なお、本実施形態のホルダ４０では、工具用孔部４１ｈを部分的に被覆するように、上方で第二延出部４６ｂが張り出している。そのため、工具用孔部４１ｈの直上となる位置で、第二延出部４６ｂに工具用切欠き４６ｎが形成されている。このような工具用切欠き４６ｎがあることにより、工具用孔部４１ｈに工具を通すときに、第二延出部４６ｂが妨げとなることがない。なお、第二延出部４６ｂが工具用孔部４１ｈを全体的に被覆するように張り出している場合は、工具用切欠き４６ｎに替えて工具用孔部を貫設すればよい。
【００４２】
また、ホルダ４０は、枠支持部４１より下方で枠支持部４１と略平行に延出している平板状の保持部４８を備えている。この保持部４８は、太陽電池パネル６０に電気を供給する電線のような線材を保持させる部分である。このような保持部４８は、下立壁部４２から延出させ、或いは、ホルダ４０の機械的強度を補強するために下立壁部４２と枠支持部４１とを連結しているリブ４９から延出させることができる。ここでは、ホルダ４０が一対の保持部４８を備えており、一方が下立壁部４２から延出していると共に他方がリブ４９から延出している場合を例示している。
【００４３】
加えて、ホルダ４０は、枠支持部４１において下突出壁４１ｓとは反対側で上立壁部４５から離隔して、上立壁部４５と平行な長溝４１ｒを有している。なお、この長溝４１ｒより端部側で枠支持部４１が下方に向かって若干屈曲している場合を図示しているが、このような屈曲はなくても良い。
【００４４】
なお、ベース部材１０、スタンド２０、及びホルダ４０の何れも、アルミニウム等の金属材料の押出成形により、押出し方向に直交する断面が単一である部材を形成した後、孔部や雌ネジを形成する加工を施すことにより、簡易に製造することができる。
【００４５】
また、シャフト３０の工具係合部３６及びボルト９０の工具係合部９６は、同一の大きさの六角凹部であり、共通の工具を使用して、シャフト３０及びボルト９０を回転させることができる。
【００４６】
上記構成の固定具１を組み立てる際は、まず、スタンド２０をホルダ４０の下方から挿通孔４３ｈ及び第二挿通孔４４ｈに挿通し、シャフト３０の雄ネジ３１においてスタンド２０から露出している部分を、雌ネジ４２ｆと螺合させる。これにより、ホルダ４０とスタンド２０が一体化する。
【００４７】
スタンド２０をベース部材１０に取り付ける際は、側方の開口からベース・スリットＳにスタンド２０を挿入する。このとき、フランジ２５をリップ片１３上に位置させ、案内片２４をリップ片１３の下方に位置させる。この状態で、ベース・スリットＳに沿ってスタンド２０をスライドさせることにより、設置面５における固定具１の位置調整をすることができる。
【００４８】
ベース部材１０に対するスタンド２０の位置調整が済んだら、一対のフランジ２５をリップ片１３上に載置し、ネジ孔２５ｆを有していない方の屈曲片２５ｂをベース壁１２に当接させた状態で、他方の屈曲片２５ｂのネジ孔２５ｆに通したボルト９０を前進させ、ボルト９０の先端をベース壁１２に押し付ける。これにより、ボルト９０とベース壁１２との摩擦力によって、スタンド２０がベース部材１０に固定される。平板部１１とリップ片１３は平行であるため、リップ片１３に載置されたスタンド２０は平板部１１に対して直角に立設される。ネジ孔２５ｆを有していない方の屈曲片２５ｂには、小孔２５ｈが貫設されているため、ここに通したビスをベース壁１２に留め付けることにより、ベース部材１０に対するスタンド２０の固定を強固なものとすることができる。このような固定に備えて、一方のベース壁１２の外表面には、ビスの位置決めのための長溝１２ｒが形成されている（図４（ｂ）参照）。
【００４９】
次に、固定具１による太陽電池パネル６０の高さ調整について、主に図５（ａ）及び図５（ｂ）を用いて説明する。高さ調整は、太陽電池パネル６０の端辺を保持している一対の第一フレーム６１ａ，６１ｂのうち一方を、ホルダ４０の第一延出部４６ａ側に保持させた状態で行うことができる。これについては、後述する。
【００５０】
スタンド２０に対してホルダ４０を昇降させるには、ホルダ４０の工具用孔部４１ｈ及びスタンド２０の工具用孔部２２ｈに挿通した工具を、シャフト３０の工具係合部３６と係合させ、シャフト３０を回転させる。シャフト３０は、スタンド２０によって軸方向の移動が妨げられているため、シャフト３０の雄ネジ３１と螺合する雌ネジ４２ｆを有するホルダ４０が、シャフト３０の回転に伴って昇降する。
【００５１】
スタンド２０によるホルダ４０の支持を安定させるために、連結部４３と第二連結部４４との間の雌ネジ４２ｆの全長にわたり雄ネジ３１と常に螺合させておくとすると、スタンド２０の上端である天面部２２が枠支持部４１に当接するまでの高さ範囲（図５（ａ）におけるＨ）で、スタンド２０に対してホルダ４０を昇降させ、太陽電池パネル６０の高さを調整することができる。
【００５２】
なお、本実施形態では、連結部４３と第二連結部４４との間の距離を、高さ調整の範囲である距離Ｈにほぼ等しくした上で、第二連結部４４より下方のみで一対の下立壁部４２を肉厚とし、ここに雌ネジ４２ｆを形成している。これは、雌ネジ４２ｆの長さを、スタンド２０によるホルダ４０の支持を安定させられる長さとしつつ、できるだけ短くすることを意図したものであり、下立壁部４２において雌ネジの形成のために肉厚にする部分を限定してホルダ４０を軽量化できる利点がある。これに対し、一対の下立壁部４２において高さ方向の全長にわたり雌ネジ４２ｆを形成してもよく、この場合はスタンド２０によるホルダ４０の支持がより安定する利点がある。なお、下立壁部４２の全長に雌ネジ４２ｆを形成する場合、第二連結部４４はなくてもよい。
【００５３】
以下、固定具１を介して太陽電池パネル６０が設置面５に固定されている固定構造の構築について、主に図７（ａ）〜図９（ｃ）を用いて説明する。ここでは、傾斜している屋根面を設置面５とし、複数の太陽電池パネル６０が複数の固定具１を介して、設置面５の傾斜方向に複数列で固定される場合を例示する。傾斜している屋根面の下端が「軒」、上端が「棟」である。また、太陽電池パネル６０の周縁は既に第一フレーム６１ａ，６１ｂ及び第二フレームで保持されているものとし、第一フレーム６１ａ，６１ｂのうち、太陽電池パネル６０の軒側の端辺を保持している方を第一フレーム６１ａと称し、棟側の端辺を保持している方を第一フレーム６１ｂと称して区別する。なお、図中の矢印Ｆは、設置面５の降下方向を示している。
【００５４】
最も軒側の列に属する太陽電池パネル６０の軒側の端辺には、化粧カバー６３を取り付けることができる。化粧カバー６３は、主に図６（ｂ）に示すように、長手方向に直交する方向の断面形状の一部が第一フレーム６１ａ，６１ｂと共通である。共通している部分は、側面部７３（側面上部７３ａ、側面中間部７３ｂ、側面下部７３ｃ）、スリット７４、空隙７５、下当接部７６である。化粧カバー６３は、第一フレーム６１ａ，６１ｂの上当接部７１と同一の高さとなるように、側面部７３の上端から延出しているカバー部８１を備えており、カバー部８１の断面は、湾曲しつつ側面部７３から離れるほど下降する形状である。また、スリット７４との奥壁と下当接部７６とは連結壁８７で連結されており、下当接部７６はその連結部分を超えて延出しカバー部８１に至っている。連結壁８７からは、第一フレーム６１ａ，６１ｂにおける第一係合片７８と同様の構成の第一係合片８８が突出している。また、下当接部７６からは、下方に向かって突出する突条８９が、化粧カバー６３の長手方向の全長にわたり形成されている。なお、化粧カバー６３は、第一フレーム６１ａ，６１ｂ及び第二フレームと同様に、アルミニウム等の金属で形成された押出型材であり、長手方向に直交する断面の形状は単一である。
【００５５】
このような化粧カバー６３を固定具１に取り付ける場合は、化粧カバー６３のスリット７４にホルダ４０の第一延出部４６ａを挿入しつつ、ホルダ４０の長溝４１ｒに化粧カバー６３の突条８９が挿入されるように、ホルダ４０及び化粧カバー６３を長手方向の端部から相対的にスライドさせる。このとき、化粧カバー６３の第一係合片８８の鉤状の先端と、ホルダ４０の第二係合片４７の鉤状の先端とが係合する。
【００５６】
設置面５が傾斜しているため、化粧カバー６３には自重によって固定具１から離隔させる方向の外力が作用するが、突条８９が固定具１の長溝４１ｒに係止されているため、第一係合片３８と第二係合片４７との係合のみによってこの外力に抗する場合に比べて、より安定的に固定具１によって支持される。
【００５７】
化粧カバー６３が取り付けられたら、固定具１を設置面５上に置く（図７（ａ）参照）。このとき、固定具１の向きは、ベース部材１０の突条１５の延びる方向が設置面５の傾斜方向と一致し、傾斜面１６ｓが棟側を向くようにする。また、ベース部材１０からのスタンド２０の立設位置は、傾斜面１６ｓより軒側とする。そして、固定具１の孔部１１ｈ、１５ｈ、１６ｈそれぞれに通したビスで、固定具１を設置面５に固定する。孔部１５ｈに通したビス９５は、孔部１１ｈに通すビス（図示を省略）と同様に設置面５に対して直交して留め付けられるが、傾斜面１６ｓに設けられた孔部１６ｈに通したビス９６は、設置面５に対して斜めに留め付けられる。そして、傾斜面１６ｓは棟側を向いているため、ビス９６は、傾斜面１６ｓより軒側に位置するスタンド２０の下方に向かって設置面５にねじ込まれる（図７（ｂ）参照）。
【００５８】
固定具１が設置面５に固定されたら、必要に応じて、上記の方法によりスタンド２０に対してホルダ４０を昇降させることにより、化粧カバー６３の高さを調整する。なお、固定具１を設置面５に固定するにあたり、固定具１の平板部１１と設置面５との間に、防水材（図示を省略）を介在させる。
【００５９】
固定具１による化粧カバー６３の固定が済んだら、化粧カバー６３を固定している固定具１の棟側に、太陽電池パネル６０を支持させる。具体的には、太陽電池パネル６０の周縁を保持している一対の第一フレーム６１ａ，６１ｂのうち、軒側の第一フレーム６１ａのスリット７４に固定具１の第二延出部４６ｂを挿通しながら、その第一フレーム６１ａの下当接部７６を固定具１の枠支持部４１に載置する。固定具１の枠支持部４１からは、第二延出部４６ｂと同じ側で突起４１ｐが突出しているものの、図８（ａ）に示すように、突起４１ｐと第二延出部４６ｂの端部との距離Ｌ１は、第一フレーム６１ａにおけるスリット７４の開口縁の下端と下当接部７６との間の距離Ｌ２より大きく設定されている。そのため、棟に向うほど高くなるように太陽電池パネル６０を傾けることにより、第二延出部４６ｂをスリット７４に挿入することが可能である（図８（ｂ）参照）。
【００６０】
そして、第一フレーム６１ａにおいてスリット７４の開口縁の下端より下方の部分を、第二延出部４６ｂより下方の空間に位置させ、下当接部７６の全面を、枠支持部４１に当接させることができる（図９（ａ）参照）。第二延出部４６ｂからは下方に上突出壁４６ｓが突出しており、枠支持部４１からは上方に下突出壁４１ｓが突出しているため、それぞれに第一フレーム６１ａの側面中間部７３ｂ及び側面下部７３ｃを押し当てることにより、太陽電池パネル６０の位置決めをすることができる。
【００６１】
また、この状態で、上立壁部４５と上突出壁４６ｓとの間に空隙が存在する。そのため、第一フレーム６１ａの取り付けに先立ち、上立壁部４５を化粧カバー６３の側壁中間部７３ｂに小ビスで留め付け、その小ビスの頭部をこの空隙に収めることができる。加えて、上述のように、上立壁部４５から上突出壁４６ｓ（及び下突出壁４１ｓ）までの距離は、側面上部７３ａの延長面と側面中間部７３ｂとの距離の２倍より大きく設定されているため、第一フレーム６１ａが化粧カバー６３に最も接近した状態で、第一フレーム６１ａと化粧カバー６３との間に隙間が形成される。これにより、気温の変化によって金属製の第一フレーム６１ａ及び化粧カバー６３が熱膨張した場合でも、両者の接触が抑制される。また、設置面５が傾斜していても、太陽電池パネル６０の荷重が化粧カバー６３にかかることが防止されている。
【００６２】
更に、この状態では、第一フレーム６１ａの下当接部７６の全面が枠支持部４１に当接しており、その下当接部７６より更に内方で、枠支持部４１から突起４１ｐが突出している。従って、枠支持部４１に載置された第一フレーム６１ａは長手方向にはスライド可能であるが、長手方向に直交する方向への移動は突起４１ｐによって制限されている。加えて、この状態では、第二延出部４６ｂの少なくとも一部が第一フレーム６１ａのスリット７４に挿入されている。そのため、第一フレーム６１ａに対して上方に向かう力が作用しても、スリット７４と第二延出部４６ｂとの干渉により、上方への移動が妨げられる。
【００６３】
つまり、枠支持部４１に載置された状態にある第一フレーム６１ａについて、長手方向に直交する方向の移動も、上方へ向かう移動も制限されている。従って、固定具１を介して太陽電池パネル６０を設置面５に固定する作業を進めるに当たり、意図しない太陽電池パネル６０の移動によって第一フレーム６１ａのスリット７４から固定具１が相対的に外れてしまうことが有効に防止され、効率良く作業を進めることができる。
【００６４】
軒側の第一フレーム６１ａの固定が済んだら、次に、同じ太陽電池パネル６０の棟側の第一フレーム６１ｂを固定する。そのためには、棟側の第一フレーム６１ｂのスリット７４に、新たな固定具１の第一延出部４６ａを挿入し、固定に適した位置まで固定具１をスリット７４に沿ってスライドさせる。第一フレーム６１ｂへの固定具１の取り付けは、軒側の第一フレーム６１ａを固定具１に支持させる上述の段階で、既に済ませておくことができる。
【００６５】
第一フレーム６１ｂに対する固定具１の位置決めが済んだら、側面中間部７３ｂ及び側面下部７３ｃが固定具１の上立壁部４５に当接し、下当接部７６が固定具１の枠支持部４１に載置されていると共に、第一フレーム６１ｂの第一係合片７８と固定具１の第二係合片４７とが係合している状態で、固定具１を載置面５に置く（図９（ｂ）参照）。固定具１の向きは上述と同様である。ベース部材１０からのスタンド２０の立設位置が、上述と同様に傾斜面１６ｓより軒側にある範囲で、必要に応じてスタンド２０をベース部材１０に対してスライドさせ、設置面５における固定具１の位置調整を行う。固定具１の位置が定まったら、上記と同様にスタンド２０をベース部材１０に固定する。そして、固定具１の孔部１１ｈ，１５ｈ，１６ｈにそれぞれ通したビスによって、上記と同様に固定具１を設置面５に固定する。
【００６６】
更に、高さ調整の必要に応じて、工具用孔部４１ｈ，２２ｈに挿通した工具でシャフト３０を回転させることにより、スタンド２０に対してホルダ４０を昇降させる。すなわち、固定具１のホルダ４０が、その軒側に第一フレーム６１ｂを介して太陽電池パネル６０を保持している状態で、高さ調整を行うことができる。
【００６７】
次に、同じ固定具１の棟側に、次の列（第二列）の太陽電池パネル６０の軒側の第一フレーム６１ａを支持させる（図９（ｃ）参照）。その際、図８（ａ）を用いて上述したように、棟に向うほど高くなるように太陽電池パネル６０を傾ける。以下、上記と同様の作業を繰り返すことにより、軒から棟に向かう一方向に、太陽電池パネル６０を順次取り付けることができ、太陽電池パネル６０の固定構造が構築される。
【００６８】
この固定構造では、スタンド２０に対してホルダ４０を昇降させることができる固定具１を使用しており、ホルダ４０の軒側に保持している第一フレーム６１ｂを介して太陽電池パネル６０を支持している状態で、太陽電池パネル６０の高さを調整することができる。なお、ホルダ４０の棟側に第一フレーム６１ａを保持した状態では、工具用孔部４１ｈが被覆されるため、高さ調整をすることができない。しかしながら、本実施形態の固定構造は、軒から棟に向かう一方向に、太陽電池パネル６０を順次固定して構築するものであるため、ホルダ４０の軒側に太陽電池パネル６０を保持した状態で高さ調整を行うことができれば十分である。
【００６９】
また、本実施形態の固定構造は、軒から棟に向かう一方向に、太陽電池パネル６０を固定することによって構築されるものであるため、次に設置面５に固定される固定具１においては、ホルダ４０の上立壁部４５より軒側に、太陽電池パネル６０を保持している第一フレーム６１ｂが常に存在する。そのため、ベース部材１０において、スタンド２０が立設している位置より軒側では、設置面５に固定するためのビスをベース部材１０に貫通させることができない。なぜなら、スタンド２０を挿通するための挿通孔４３ｈ及び第二挿通孔４４ｈは、それぞれ一対の下立壁部４２を連結している連結部４３及び第二連結部４４の中央に位置するものであり、一対の下立壁部４２は、枠支持部４１に対して長手方向に直交する方向の略中央に位置しているのに対し、上立壁部４５は枠支持部４１において軒側に偏って位置しているためである。換言すれば、第一フレーム６１ｂを支持している上立壁部４５は、スタンド２０の中心軸より軒側に偏った位置にある。
【００７０】
そのため、ベース部材１０においてビスを貫通させられる位置は、必然的にベース部材１０において棟側に偏ったものなる。これに対して、本実施形態の固定具１では、ベース部材１０の長手方向の略中央に傾斜面１６ｓが設けられており、ここに貫設された孔部１６ｈに通されたビス９６は、スタンド２０の下方に向かって設置面５にねじ込まれる。このような斜めにねじ込まれるビス９６の存在によって、ベース部材１０の設置面５への固定、ひいては、固定具１を介した太陽電池パネル６０の設置面５への固定が、ビス９６がない場合に比べて安定したものとなる。
【００７１】
固定具１においては、スタンド２０に替えて、図１０（ａ）及び図１０（ｂ）に示す変形例のスタンド２０ｂを使用することができる。スタンド２０ｂがスタンド２０と相違する点は、スタンド２０では一対のフランジ２５それぞれの端部から延出していた一対の屈曲片２５ｂに相当する部分を有していない点であり、その他の構成はスタンド２０と同一である。
【００７２】
スタンド２０では、一対の屈曲片２５ｂの一方のネジ孔２５ｆに通すボルト９０、及び他方の屈曲片２５ｂの小孔２５ｈに通すビスによって、スタンド２０を固定具１に固定することができたが、スタンド２０ｂはそのような構成を有していない。しかしながら、最も軒側で設置面５に固定される固定具１のみにおいて、カバー部材やストッパなど何らかの部材によってスタンド２０ｂの軒側への移動を規制すれば、棟側への移動を防止する手段の必要性は小さい。実際には、傾斜面１６ｓに通すビス９６の頭部と底面部２３との干渉により、スタンド２０ｂの軒側への移動が制限されるからである。
【００７３】
また、最も軒側ではない位置で設置面５に固定される固定具１については、ベース部１０に対してスタンド２０を固定する必要はない。その固定具１が上立壁部４５より軒側で支持している第一フレーム６１ｂが保持している太陽電池パネル６０を、その固定具１より一つ軒側の列で設置面５に固定されている固定具１が、第一フレーム６１ａを介して支持しているからである。換言すれば、構築が完了した固定構造においては、最も軒側ではない固定具１におけるスタンド２０について、設置面５の傾斜方向のスライドは、それより軒側の固定具１によって規制される。
【００７４】
従って、スタンド２０に替えてスタンド２０ｂを構成とする固定具１によっても、上記の固定構造を問題なく構築することができ、同様の作用効果が発揮される。
【００７５】
更に、固定具１においては、ベース部材１０に替えて、図１１（ａ）及び図１１（ｂ）に示す変形例のベース部材１０ｃを使用し、これに対応させて、スタンド２０に替えてスタンド２０ｃを使用することができる。ベース部材１０ｃがベース部材１０と相違する点は、平板部１１が一対の脚部１１ｂによって設置面５より高い位置に支持されており、ベース部材１０では一対のベース壁１２の間で平板部１１から上方に突出していた突条１５を有していない点である。また、ベース部材１０では突条１５に形成されていた平行面１５ｓが、ベース部材１０ｃでは設置面５に当接させられる面であると共に、平板部１１と平行面１５ｓを連結するように傾斜面１６ｓが形成されている。そして、ベース部材１０ｃでは、平行面１５ｓ及び傾斜面１６ｓは、一対のベース壁１２間の距離と等しい幅を有しているため面積が大きく、それぞれ孔部１５ｈ及び孔部１６ｈを複数有している。孔部１６ｈが複数あることにより、設置面５に斜めにねじ込まれるビス９６の数も複数となり、ベース部材１０ｃの設置面５への固定、ひいては、固定具１を介した太陽電池パネル６０の設置面５への固定が、より安定したものとなる。なお、ベース部材１０ｃの孔部１５ｈは、ベース部材１０における孔部１１ｈと孔部１５ｈの機能を兼ねている。
【００７６】
また、ベース部材１０ｃでは、突条１５がないことに対応して、平板部１１と案内片２４との距離が短く、案内片２４の厚さ程度である。そして、このようなベース部材１０ｃの構成に対応させて、スタンド２０ｃはスタンド２０，２０ｂが有しているフランジ２５を有していない。スタンド２０，２０ｂのベース部材１０に対するスライドは、案内片２４とフランジ２５との間にリップ片１３を挟むことによって案内されていたところ、スタンド２０ｃのベース部材１０ｃに対するスライドは、リップ片１３と平板部１１との間に案内片２４を挟むことによって案内されるため、スタンド２０ｃにはフランジ２５に相当する構成は必要ないからである。なお、スタンド２０ｃは、ベース部材１０ｃに固定するための構成を有していないが、これはスタンド２０ｂに関して上述した理由による。
【００７７】
ここで、図１１（ａ）では、ベース部材１０ｃにおいて一対のリップ片１３間に形成されているベース・スリットＳの長さが、ベース部材１０におけるベース・スリットＳより短い様子を図示している。しかしながら、ベース部材１０においてもスタンド２０，２０ｂをスライドさせるために使用できるベース・スリットＳは、傾斜面１６ｓより軒側の部分に限られる。加えて、実際の施工現場では、固定具１の位置調整のためにスタンドをスライドさせることが必要な長さは、さほど大きいものではない。従って、ベース部材１０に替えてベース部材１０ｃを構成とする固定具１によっても、上記の固定構造を問題なく構築することができ、同様の作用効果が発揮される。
【００７８】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００７９】
例えば、上記のホルダ４０に替えて、図１２に示すホルダ４０ｂを固定具１の構成とすることができる。ホルダ４０ｂがホルダ４０と相違する点は、線材を保持させる保持部４８を有していない点、一対の下立壁部４２が何れも屈曲部分を有していない点、枠支持部４１の端部側に屈曲部分を有していない点、一対のリブ４９が何れも下立壁部４２と枠支持部４１とを連結している点であり、その他はホルダ４０と同様である。ホルダ４０ｂは、ホルダ４０と比べると非常にシンプルな形状であり、安価に製造することができる。ホルダ４０に替えてホルダ４０ｂを構成とする固定具１によっても、上記の固定構造を問題なく構築することができ、同様の作用効果が発揮される。このホルダ４０ｂと共に固定具１を構成するスタンドは、スタンド２０，２０ｂ，２０ｃの何れであっても良い。
【００８０】
また、上記の実施形態では、スタンド２０の天面部２２に工具用孔部２２ｈが貫設されている場合を例示した。これに限定されず、天面部に代えて、スタンドの一対の側壁部それぞれの上端付近から相手側に向かって一対の上棚部が延出している構成のスタンドとすることができる。シャフトの中心軸の延長線上において、一対の上棚部の間に空間を設ければ、この空間を介して、工具をシャフトの工具係合部に到達させることができる。
【００８１】
更に、上記の実施形態では、第一フレーム６１ａ，６１ｂにおいて側面部７３の全面が同一面上にはなく、同一面上にある側面中間部７３ｂ及び側面下部７３ｃが、側面上部７３ａより内方に位置する場合を例示した。これに限定されず、第一フレーム６１ａ，６１ｂそれぞれにおいて、側面部７３の全体が同一面上にある構成とすることができる。この場合、隣接する太陽電池パネル６０を保持している第一フレーム６１ａ，６１ｂの間には、上立壁部４５と上突出壁４６ｓとの間の距離に相当する隙間が形成される。
【符号の説明】
【００８２】
１  固定具
５  設置面
１０，１０ｃ  ベース部材
２０，２０ｂ，２０ｃ  スタンド
２１  側壁部
３０  シャフト
３１  雄ネジ
３６  工具係合部
４０，４０ｂ  ホルダ
４１  枠支持部
４１ｈ  工具用孔部
４２  下立壁部
４２ｆ  雌ネジ
４３  連結部
４３ｈ  挿通孔
４５  上立壁部
４６  側方延出部
４６ａ  第一延出部（側方延出部）
４６ｂ  第二延出部（側方延出部）
６０  太陽電池パネル
６１ａ，６１ｂ  第一フレーム
７１  上当接部
７２  載置面
７３  側面部
７４  スリット
７６  下当接部
【図１】
2019108711.tif 000003
【図２】
2019108711.tif 000004
【図３】
2019108711.tif 000005
【図４】
2019108711.tif 000006
【図５】
2019108711.tif 000007
【図６】
2019108711.tif 000008
【図７】
2019108711.tif 000009
【図８】
2019108711.tif 000010
【図９】
2019108711.tif 000011
【図１０】
2019108711.tif 000012
【図１１】
2019108711.tif 000013
【図１２】
2019108711.tif 000014